(57)【要約】無線ネットワークにおける電力効率を向上させるためのデータ送信のスケジューリングに関する様々な実施形態を開示する。ある例示的な実施形態では、アップリンク伝送（315、406）は、ダウンリンク伝送（309、311、404）の後に、フレームシーケンス（301）の中でスケジュールすることが可能である。フレームシーケンス中にスケジュールされたダウンリンク伝送だけを有する１つ以上のノード（PSTA1、図４）を、ダウンリンク伝送（404）の開始時またはほぼ開始時に、ダウンリンク伝送（410）を行うようにスケジュールすることが可能である。別の実施形態では、フレームシーケンス中にスケジュールされたアップリンク伝送だけを有する１つ以上のノード（PSTA2、図４）を、アップリンク伝送（406）の終了時またはほぼ終了時に、アップリンク伝送（420）を行うようにスケジュールすることが可能である。さらに別の実施形態では、フレームシーケンス中にスケジュールされたダウンリンク（428、440）およびアップリンク（432、440）伝送の両方を有する１つ以上のノード（PSTA3、PSTA4、図４）を、ダウンリンクからアップリンク伝送への移行の際（317、408）に、伝送（428、432、440）を行うようにスケジュールすることが可能である。【選択図】図４
2008544617.tif 000002
【特許請求の範囲】
【請求項１】
フレームシーケンス（301）中における、無線ネットワークの１つ以上のノードのための複数のアップリンクおよび／またはダウンリンク伝送期間を特定するスケジュールを含むフレーム（200、402）を伝送することであって、
前記フレームシーケンスにおいて、前記アップリンク伝送（315、406）は、前記ダウンリンク伝送（311、404）の後にスケジュールされ、
スケジュールされたダウンリンク伝送だけを前記フレームシーケンス中に有する１つ以上のノード（PSTA1）は、前記ダウンリンク伝送（404）の開始時またはほぼ開始時にダウンリンク伝送（410）を行うようにスケジュールされている、
ことを含む、方法。
【請求項２】
スケジュールされたダウンリンク伝送だけを前記フレームシーケンス中に有する前記ノード（PSTA1）のうちの１つは、前記フレーム（402）の受信直後にダウンリンク伝送（410）を行うようにスケジュールされている、請求項1に記載の方法。
【請求項３】
スケジュールされたアップリンク伝送だけを前記フレームシーケンス中に有する１つ以上のノード（PSTA2）は、前記アップリンク伝送の終了時またはほぼ終了時にアップリンク伝送（420）を行うようにスケジュールされている、請求項1に記載の方法。
【請求項４】
スケジュールされたアップリンク伝送だけを前記フレームシーケンス中に有するノード（PSTA2）のうちの１つは、前記アップリンク伝送の終了時にアップリンク伝送（420）を行うようにスケジュールされている、請求項3に記載の方法。
【請求項５】
フレームを伝送することが、パワーセーブマルチポール（Power Save Multi Poll: PSMP）フレーム（200、402）を伝送することを含む、請求項1に記載の方法。
【請求項６】
フレームを伝送することが、IEEE 802.11nパワーセーブマルチポール（PSMP）フレーム（200、402）を伝送することを含む、請求項1に記載の方法。
【請求項７】
前記スケジュールされた伝送期間に、１つ以上のダウンリンクデータフレームを１つ以上の無線ノードに伝送することをさらに含む、請求項1に記載の方法。
【請求項８】
前記伝送することは、複数のアップリンクおよび／またはダウンリンク伝送期間を特定するスケジュールを含むフレーム（200、402）を伝送することを含み、
前記ダウンリンク伝送期間のそれぞれが、ダウンリンク開始オフセット（227）および／またはダウンリンク伝送の持続時間（229）によって特定され、
前記アップリンク伝送期間のそれぞれが、アップリンク開始オフセット（231）および／またはアップリンク伝送持続期間（233）によって特定される、請求項1に記載の方法。
【請求項９】
フレームシーケンス（301）中における、無線ネットワークの１つ以上のノードのための複数のアップリンクおよび／またはダウンリンク伝送期間を特定するスケジュールを含むフレーム（200、402）を伝送することであって、
前記フレームシーケンスにおいて、前記アップリンク伝送（315、406）は、前記ダウンリンク伝送（311、404）の後にスケジュールされ、
スケジュールされたダウンリンク（428、440）およびアップリンク（432、440）伝送の両方を前記フレームシーケンス中に有する１つ以上のノード（PSTA3、PSTA4）は、ダウンリンクからアップリンクへの移行の際（317、408）に伝送を行うようにスケジュールされている、
ことを含む、方法。
【請求項１０】
フレームを伝送することが、パワーセーブマルチポールフレームを伝送することを含む、請求項9に記載の方法。
【請求項１１】
フレームシーケンス（301）中における、無線ネットワークの１つ以上のノードのための複数のアップリンクおよび／またはダウンリンク伝送期間を特定するスケジュールを含むフレーム（200、402）を伝送することであって、
前記フレームシーケンスにおいて、前記アップリンク伝送（315、406）は、前記ダウンリンク伝送（311、404）の後にスケジュールされ、
スケジュールされたアップリンク伝送だけを前記フレームシーケンス中に有する１つ以上のノード（PSTA2）は、前記アップリンク伝送（406）の終了時またはほぼ終了時にアップリンク伝送（420）を行うようにスケジュールされている、
ことを含む、方法。
【請求項１２】
フレームシーケンス（301）中における、無線ネットワークの１つ以上のノードのための複数のアップリンクおよび／またはダウンリンク伝送期間を特定するフレーム（200、402）を伝送することであって、
前記フレームシーケンスにおいて、前記アップリンク伝送（315、406）は、前記ダウンリンク伝送（311、404）の後にスケジュールされ、
スケジュールされたダウンリンク伝送だけを前記フレームシーケンス中に有する１つ以上のノード（PSTA1）は、前記ダウンリンク伝送（404）の開始時またはほぼ開始時にダウンリンク伝送（410）を行うようにスケジュールされ、
スケジュールされたアップリンク伝送だけを前記フレームシーケンス中に有する１つ以上のノード（PSTA2）は、前記アップリンク伝送（406）の終了時またはほぼ終了時にアップリンク伝送（420）を行うようにスケジュールされ、
スケジュールされたダウンリンク（428、440）およびアップリンク（432、440）伝送の両方を前記フレームシーケンス中に有する１つ以上のノード（PSTA3、PSTA4）は、ダウンリンクからアップリンクへの移行の際（317、408）に伝送を行うようにスケジュールされている、
ことを含む、方法。
【請求項１３】
フレームを伝送することが、パワーセーブマルチポールフレームを伝送することを含む、請求項12に記載の方法。
【請求項１４】
無線通信のための装置（700）であって、
コントローラ（704）及び前記コントローラに接続されたメモリ（706）を備え、
フレームシーケンス中における、無線ネットワークの１つ以上のノードのための複数のアップリンクおよび／またはダウンリンク伝送期間を特定するスケジュールを含むフレームを伝送し、
前記フレームシーケンスにおいて、前記アップリンク伝送は、前記ダウンリンク伝送の後にスケジュールされ、
スケジュールされたダウンリンク伝送だけを前記フレームシーケンス中に有する１つ以上のノードは、前記ダウンリンク伝送の開始時またはほぼ開始時にダウンリンク伝送を行うようにスケジュールされているように構成される、装置。
【請求項１５】
スケジュールされたアップリンク伝送だけを有する１つ以上のノードは、前記アップリンク伝送の終了時またはほぼ終了時にスケジュールされ、
ダウンリンクおよびアップリンク伝送の両方を有する１つ以上のノードは、ダウンリンクからアップリンク伝送への移行の際に伝送を行うようにスケジュールされている、請求項14に記載の装置。
【請求項１６】
フレームを伝送することが、IEEE 802.11nパワーセーブマルチポールフレームを伝送することを含む、請求項14に記載の装置。
【請求項１７】
記憶媒体を備える製品であって、プロセッサが前記記憶媒体内に格納される命令を実行したときに、
無線ネットワーク内の１つ以上のノードのためのアップリンクおよび／またはダウンリンク伝送期間を特定するフレームを伝送し（610）、
前記アップリンク伝送が前記ダウンリンク伝送の後にスケジュールされ、
ダウンリンクおよびアップリンク伝送の両方を有する１つ以上のノードは、ダウンリンクからアップリンク伝送への移行の際（317、408）に伝送を行うようにスケジュールされている（640）、製品。
【請求項１８】
前記プロセッサが前記命令を実行したときに、
前記フレームを伝送し、
前記フレームが、無線ネットワーク内の１つ以上のノードのためのアップリンクおよび／またはダウンリンク伝送期間をさらに特定し、
前記アップリンク伝送が前記ダウンリンク伝送の後にスケジュールされ、
スケジュールされたダウンリンク伝送だけを有する１つ以上のノードは、前記ダウンリンク伝送の開始時またはほぼ開始時にダウンリンク伝送を行うようにスケジュールされ、
スケジュールされたアップリンク伝送だけを有する１つ以上のノードは、前記アップリンク伝送の終了時またはほぼ終了時にスケジュールされている、請求項17に記載の製品。
【請求項１９】
フレームを伝送することが、IEEE 802.11nパワーセーブマルチポールフレームを伝送することを含む、請求項17に記載の製品。
【発明の詳細な説明】
【関連出願の相互参照】
【０００１】
本出願は、米国仮出願第60/691,220号（2005年6月16日出願）、名称"Scheduling and Sequencing of Data/STAs and Information for Maximal Power Efficiency in Aggregated Frames"に対する優先権を主張するものであり、参照することにより本書に組み込まれる。
【０００２】
本出願は、米国仮出願第60/620,246号（2004年10月19日出願）、名称"Scheduling and Sequencing of Data and Information for Maximal Power Efficiency in Aggregated Frames"に関連するものであり、参照することにより本書に組み込まれる。
【背景技術】
【０００３】
無線ローカルエリアネットワーク（WLAN）アクセスの急速な普及、およびWLANの受信可能範囲に対する要求の増加により、極めて多数のアクセスポイント（AP）の設置が推進されている。最も一般的なWLAN技術は、IEEE（Institute of Electrical and Electronics Engineers: 電気電子技術者協会） 802.11b、IEEE 802.11g、およびIEEE 802.11aの仕様のような、業界仕様のIEEE 802.11ファミリに記載されたものである。既存の802.11技術の改善に関連する仕様の開発には、複数の異なる802.11のタスクグループが関わっている。
【０００４】
消費電力およびバッテリ寿命は、無線デバイスの課題である。消費電力の低減およびバッテリ寿命の向上に対して、複数の節電手法が提案されている。しかし、現在の手法は、消費電力の問題に十分対処していないだけでなく、無線デバイスの低電力状態に対するオン／オフ動作の移行回数を十分に低減していない。
【発明のまとめ】
【０００５】
無線ネットワーク内の節電供給のためのデータ伝送のスケジューリングに関して、種々の実施形態を開示する。
【０００６】
ある例示的な実施形態においては、方法が提供される。前記方法は、フレームシーケンス中における、無線ネットワークの１つ以上のノードのための複数のアップリンクおよび／またはダウンリンク伝送期間を特定するスケジュールを含むフレームを伝送することを含む。前記フレームシーケンス内において、前記アップリンク伝送は、前記ダウンリンク伝送の後にスケジュールすることが可能であり、スケジュールされたダウンリンク伝送だけを前記フレームシーケンス中に有する１つ以上のノードは、前記ダウンリンク伝送の開始時またはほぼ開始時にダウンリンク伝送を行うようにスケジュールされている。ある例示的な実施形態では、前記伝送されるフレームは、例えばパワーセーブマルチポール（Power Save Multi Poll: PSMP）メッセージとすることが可能であり、前記フレームシーケンスは、例えばPSMPシーケンスとすることが可能である。さらに別の例示的な実施形態では、前記伝送されるフレームは、例えばIEEE 802.11nパワーセーブマルチポール（PSMP）メッセージとすることが可能である。
【０００７】
別の例示的な実施形態では、方法が提供される。前記方法は、ネットワーク内の１つ以上のノードのためのフレームシーケンス中に、アップリンクおよび／またはダウンリンク伝送期間を特定するスケジュールを含むフレームを伝送することを含むことが可能である。前記フレームシーケンス内において、前記アップリンク伝送は、前記ダウンリンク伝送の後にスケジュールすることが可能である。スケジュールされたアップリンク伝送だけを前記フレームシーケンス中に有する１つ以上のノードを、前記アップリンク伝送の終了時またはほぼ終了時にアップリンク伝送を行うようにスケジュールすることが可能である。
【０００８】
さらに別の実施形態では、方法が提供される。前記方法は、ネットワーク内の１つ以上のノードのためのフレームシーケンス中に、アップリンクおよび／またはダウンリンク伝送期間を特定するスケジュールを含むフレームを伝送することを含むことが可能である。前記フレームシーケンス内において、前記アップリンク伝送は、前記ダウンリンク伝送の後にスケジュールすることが可能である。フレームシーケンス中にスケジュールされたダウンリンクおよびアップリンク伝送の両方を有する１つ以上のノードを、ダウンリンクからアップリンクへの移行の際に伝送を行うようにスケジュールすることが可能である。
【０００９】
さらに別の実施形態では、方法が提供される。前記方法は、フレームシーケンス中における、無線ネットワークの１つ以上のノードのための複数のアップリンクおよび／またはダウンリンク伝送期間を特定するスケジュールを含むフレームを伝送することを含むことが可能である。前記フレームシーケンス内において、前記アップリンク伝送は、前記ダウンリンク伝送の後にスケジュールすることが可能である。スケジュールされたダウンリンク伝送だけを前記フレームシーケンス中に有する１つ以上のノードを、ダウンリンク伝送の開始時またはほぼ開始時にダウンリンク伝送を行うようにスケジュールすることが可能である。スケジュールされたアップリンク伝送だけを前記フレームシーケンス中に有する１つ以上のノードを、前記アップリンク伝送の終了時またはほぼ終了時にアップリンク伝送を行うようにスケジュールすることが可能である。スケジュールされたダウンリンクおよびアップリンク伝送の両方を前記フレームシーケンス中に有する１つ以上のノードを、ダウンリンクからアップリンクへの移行の際に伝送を行うようにスケジュールすることが可能である。
【００１０】
別の実施形態では、装置を提供することが可能である。前記装置は、コントローラと、前記コントローラに接続されたメモリとを備えることが可能である。前記装置は、フレームシーケンス中における、無線ネットワークの１つ以上のノードのための複数のアップリンクおよび／またはダウンリンク伝送期間を特定するフレームを送信するように構成することが可能である。前記フレームシーケンス内において、前記アップリンク伝送は、前記ダウンリンク伝送の後にスケジュールすることが可能である。ある実施形態では、スケジュールされたダウンリンク伝送だけを前記フレームシーケンス中に有する１つ以上のノードを、前記ダウンリンク伝送の開始時またはほぼ開始時にダウンリンク伝送を行うようにスケジュールすることが可能である。ある実施形態では、スケジュールされたアップリンク伝送だけを前記フレームシーケンス中に有する１つ以上のノードを、前記アップリンク伝送の終了時またはほぼ終了時にアップリンク伝送を行うようにスケジュールすることが可能である。さらに別の実施形態では、スケジュールされたダウンリンクおよびアップリンク伝送の両方を前記フレームシーケンス中に有する１つ以上のノードを、ダウンリンクからアップリンクへの移行の際に伝送を行うようにスケジュールすることが可能である。
【００１１】
別の実施形態では、記憶媒体を含む製品を提供することが可能である。前記記憶媒体は、プロセッサが前記記憶媒体内に格納される命令を実行したときに、フレームシーケンス中に、無線ネットワーク内の１つ以上のノードのためのアップリンクおよび／またはダウンリンク伝送期間を特定するフレームを伝送させることが可能である。前記フレームシーケンス内において、前記アップリンク伝送は、前記ダウンリンク伝送の後にスケジュールすることが可能である。ある実施形態では、スケジュールされたダウンリンク伝送だけを前記フレームシーケンス中に有する１つ以上のノードを、前記ダウンリンク伝送の開始時またはほぼ開始時にダウンリンク伝送を行うようにスケジュールすることが可能である。別の実施形態では、スケジュールされたアップリンク伝送だけを前記フレームシーケンス中に有する１つ以上のノードを、前記アップリンク伝送の終了時またはほぼ終了時にアップリンク伝送を行うようにスケジュールすることが可能である。さらに別の実施形態では、スケジュールされたダウンリンクおよびアップリンク伝送の両方を前記フレームシーケンス中に有する１つ以上のノードを、ダウンリンクからアップリンクへの移行の際に伝送を行うようにスケジュールすることが可能である。
本発明の１つ以上の実施形態の詳細を、以下の添付図面および説明に記載する。他の機能は、説明、図面、および特許請求の範囲から明らかとなろう。
【図面の簡単な説明】
【００１２】
【図１】ある例示的な実施形態における、無線ネットワークを示すブロック図である。
【００１３】
【図２】ある例示的な実施形態における、パワーセーブマルチポール（PSMP）管理フレームのような、マルチポールメッセージのフォーマットを示す図である。
【００１４】
【図３】ある例示的な実施形態における、PSMPシーケンスを示す図である。
【００１５】
【図４】ある例示的な実施形態における、データ伝送スケジュールを示すタイミング図である。
【００１６】
【図５】別の例示的な実施形態における、データ伝送スケジュールを示すタイミング図である。
【００１７】
【図６】ある例示的な実施形態における、無線ノードの動作を示すフローチャートである。
【００１８】
【図７】ある例示的な実施形態における、無線ノード内に備えることが可能な装置を示すブロック図である。
【詳細な説明】
【００１９】
参照する図中の同じ参照符号は同じ要素を示す。図１は、ある例示的な実施形態における、無線ネットワークを示すブロック図である。無線ネットワーク102は、アクセスポイント（AP）104または基地局のような複数の無線ノードと、局106および108のような１つ以上の移動局とを含むことが可能である。無線ネットワーク102には１つのAPおよび２つの移動局だけが示されているが、いかなる数のAPおよび局をも備えることが可能である。ネットワーク102内の各局（例、局106、108）は、AP104と無線通信することが可能であり、互いに直接通信することも可能である。図示されていないが、AP104は、ローカルエリアネットワーク（LAN）、ワイドエリアネットワーク（WAN）、インターネットなどのような固定ネットワークに接続することが可能であり、また、他の無線ネットワークに接続することも可能である。
【００２０】
本願明細書に記述された種々の実施形態は、WLANネットワーク（例、IEEE 802.11型ネットワーク）、IEEE 802.16 WiMAXネットワーク、携帯電話ネットワーク、ラジオネットワーク、または他の無線ネットワークのような、多種多様のネットワークおよび技術に適用することが可能である。別の例示的な実施形態では、種々の実施例および実施形態を、例えば、複数のメッシュポイント（例、アクセスポイント）を有線または無線リンクを経て互いに接続することが可能なメッシュ無線ネットワークに適用することが可能である。本願明細書に記述された種々の実施形態は、APまたは基地局が、局と通信することが可能な（例えば、APを介して通信が生じる）インフラストラクチャモード、および無線局が、例えばピアツーピアネットワークを経て直接通信することが可能なアドホックモードの両方の無線ネットワークに適用することが可能である。
【００２１】
"無線ノード"または"ノード"などの用語には、例えば、無線局、アクセスポイント（AP）または基地局、無線携帯情報端末（PDA）、携帯電話、802.11 WLAN電話、無線メッシュポイント、または他の無線デバイスを含むことが可能である。これらは単に、本願明細書に記述される種々の実施形態の実装に使用することが可能ないくつかの実施例であり、本開示はそれらに限定されるものではない。
【００２２】
ある例示的な実施形態では、無線ノード（例、APまたは局）は、（例えば、APからの）ビーコンメッセージまたはプローブ応答で、例えば（局から）関連付けリクエストまたは再関連付けリクエストを経て、能力フィールドを受信することによって、他のノードの能力を特定することが可能である。APは、１つ以上の無線局またはノードを関連付けることが可能である。APを１つ以上の無線局またはノードと関連付けるプロセスには、無線局またはその無線局が関連付けられたノードのそれぞれに関連付けID（Association ID: AID）を割り当てるAPを含めることが可能である。
【００２３】
局がAPに関連付けられた後に、２つのノードは、例えばサービス期間に対するスケジュールの開始時間を示す１つ以上のフレームまたはメッセージを交換することによって、サービス期間を示すデータ伝送スケジュールを確立することが可能である。様々な異なる機構を使用して、サービス期間に対する時間を交換またはこれに同意することが可能である。例えば、IEEE 802.11eの草案仕様では、自動節電配信（automatic power-save delivery: APSD）を介した電力管理を行うことができる。APSDは、スケジュールされたAPSDおよびスケジュールされていない不定期APSDの、２つの供給機構を提供する。局は、スケジュールされていないAPSD（unschaduled APSD: U-APSD）を使用して、スケジュールされていないサービス期間中に、APから局に配信されるフレームの全てまたは一部を有することが可能である。スケジュールされていないサービス期間は、APが局からトリガーメッセージを受信したときに開始することが可能である。スケジュールされたAPSD（scheduled APSD: S-APSD）に基づいて、局は、スケジュールされたサービス期間中にフレームを送受信することが可能なときに、サービスの開始時間およびサービス間隔を示すデータ伝送スケジュールをAPから受信することが可能である。例えば、APSDを使用することにより、局は、低電力状態に保持することで電力を節約してバッテリの寿命を延ばし、スケジュールされた、またはスケジュールされていないサービス期間中にデータを送受信するように起動することが可能である。ある例示的な実施形態では、APは、複数の局またはノードに同じサービス機関を割り当てることが可能であるが、例として、場合によっては、サービス期間の実質的な部分（または全体）の間に、これら複数の局のそれぞれをアウェイク状態にする必要がある場合がある。
【００２４】
ある例示的な実施形態では、APまたは他のノードは、集約制御ヘッダーフレーム、パワーセーブマルチポール（PSMP）フレームまたはメッセージ、あるいは他のメッセージのようなフレームを伝送（例、ブロードキャスト）することが可能である。PSMPメッセージ（または他のフレーム）は、例えば、フレームシーケンス中における、無線ネットワークの１つ以上のノードのための複数のアップリンクおよび／またはダウンリンク伝送期間を特定するデータ伝送スケジュールを含めることが可能である。例えば、ダウンリンクとは、AP、アクセスポイント、または基地局から、局または他のノードへの伝送であり、アップリンクとは、局または他のノードから、APまたは基地局への伝送とすることが可能である。ある例示的な実施形態では、PSMPシーケンスは、例えば、PSMPメッセージの伝送、続いて、ブロードキャストまたはマルチキャストデータのダウンリンク伝送、１つ以上のモードへのダウンリンクユニキャスト伝送、および１つ以上のノードからAPへのアップリンク伝送を含むことが可能である。フレームシーケンスまたはPSMPシーケンスに対して、他の順序を使用することが可能である。
【００２５】
PSMPフレームによって、APまたは無線ノードは、スケジュールまたはサブスケジュールを、複数の無線局またはノードのそれぞれに提供することができる。これらのPSMPデータ伝送スケジュールまたはサブスケジュールは、例えば、ダウンリンク開始時間および持続時間（特定の局へのスケジュールされた伝送の場合）、および／またはアップリンク開始時間および持続時間（特定の局が、媒体上のデータの伝送を許可されている、スケジュールされた伝送期間の場合）を含むことが可能である。ある例示的な実施形態では、DLT（downlink transmission: ダウンリンク転送）および／またはULT（uplink transmission: アップリンク伝送）スケジュールを含むことが可能なPSMPフレームは、あるU-APSD に対するS-APSDサービス期間に従って伝送されるか、または、常時（例、スケジュールされていない期間中）伝送されることが可能である。PSMPフレームは、アクセスポイント（AP）または局のような、任意の無線ノードによって伝送することが可能である。
【００２６】
図２は、ある例示的な実施形態における、IEEE 802.11nパワーセーブマルチポール（PSMP）管理フレーム200のような、マルチポールメッセージのフォーマットを示す図である。管理アクションフレーム201は、例えば、MAC（media access control: 媒体アクセス制御）アドレス情報および他のフィールド、フレームボディ204およびフレームチェックシーケンス（FCS）206を含むことが可能なMACヘッダー202を含むことが可能である。ある例示的な実施形態では、フレームボディ204は、パワーセーブマルチポール（PSMP）フレームボディとすることが可能である。フレームボディ204は、例えば、高スループット（High Throughput: HT）（例、HTまたはIEEE 802.11n関連のフレーム）を示す値に設定した、カテゴリフィールド210を含むことが可能である。フレームボディ204は、PSMPフレームを示す値に設定したアクションフィールド212も含むことが可能である。
【００２７】
フレームボディ204は、PSMPパラメータセット214および１つ以上の局情報フィールド（station information fields: STA Infoフィールド）216を含むことが可能である。PSMPパラメータセット214は、フレームボディ204内に存在する複数の局情報フィールド（STA Infoフィールド）を示す、複数の局（N_STA）フィールド215を含むことが可能である。さらに、More PSMPフィールド219を、例えば、一般的にこのPSMPシーケンスの後に別のPSMPシーケンスを続けることが可能であることを示すように、1に設定することが可能である。別様には、More PSMP 219を、このサービス期間中の最後のPSMPシーケンスであることを示すように、0に設定することが可能である。ある例示的な実施形態においては、PSMPシーケンスは、例えば、PSMPフレームに示されているように、１つ以上の局とやり取り（ダウンリンクおよび／またはアップリンク）するように、スケジュールされたデータ伝送が後に続くPSMPフレームを含むことが可能である。PSMPシーケンス持続時間フィールド221は、PSMPフレームによって記述された現在のPSMPシーケンスの持続時間を示す。
【００２８】
上述のように、APは、１つ以上の局情報（STA Info）フィールド216で提供される情報に基づいて、例えば、１つ以上のSTA Infoフィールド216を経て提供される伝送スケジュールに従って、複数の局へ伝送する、および／または複数の局から受信することが可能である。１つ以上のSTA Infoフィールド216で提供される情報は、一般的に、スケジュールまたは伝送スケジュールと称することが可能である。STA Infoフィールドは、（現在のPSMPシーケンスに対して）アップリンクおよび／またはダウンリンク伝送がPSMPメッセージによってスケジュールされる、各局に提供することが可能である。STA Infoフィールドの数は、N_STAフィールド215によって示される。したがって、図２に示されるPSMPフレームボディ204は、一例として、STA Infoフィールド216A、216B、...、216Zのような、１つ以上のSTA Infoフィールドを含むことが可能である。
【００２９】
各STA Infoフィールド216は、複数のフィールドを含むことができる。STA Infoフィールド216は、トラフィックストリーム識別子（traffic stream identifier: TSID）フィールド223を含むことが可能であり、例えば、局が、スケジュールされたアップリンクデータ伝送のためのAPへのデータ伝送に使用することが可能であるか、または使用しなければならない１つ以上のTSIDを識別することが可能である。局識別子（STA ID）フィールド225は、（例えば、局のMACアドレスの一部または局に対するAIDを使用して）局を識別することが可能である。必須ではないが、ある例示的な実施形態では、STA Infoフィールド216内のSTA IDフィールド225を、マルチキャスト伝送を示すようにゼロに設定することが可能である。加えて、STA IDフィールド225は、ブロードキャスト伝送を示すように全て1に設定することも可能である。TSIDフィールド223およびSTA IDフィールド225は、必ずしも、マルチキャスト伝送のスケジューリングに適用可能であるとは限らない（例えば、アップストリームTSIDは、ダウンストリームマルチキャスト伝送に適用不可能であり、マルチキャストフレームは、一般的に、複数の受信器ノードに導かれるので、１つのSTA IDでは不十分となる）。
【００３０】
ダウンリンク伝送（DLT）開始オフセットフィールド227は、スケジュールされたダウンリンクデータ伝送（APから局まで）に対する開始時間を示すことが可能であり、ダウンリンク伝送（DLT）持続時間フィールド229は、スケジュールされたダウンリンク伝送に対する持続時間を示すことが可能である。これら２つのDLT関連のフィールド（227、229）は、ユニキャスト伝送（例えば、単一の受信器ノードへの伝送）、およびマルチキャスト伝送（マルチキャストは、例えば、APから複数の受信器ノードまたは局へのダウンリンクデータ伝送とすることが可能である）の両方に適用することが可能である。
【００３１】
アップリンク伝送（ULT）（局からAPまで）開始オフセットフィールド231およびULT持続時間フィールド233は、STA Infoフィールド216内に提供され、ノードまたは局のためのスケジュールされたアップリンクデータ伝送に対する開始時間および持続時間を通信する。
【００３２】
図３は、ある例示的な実施形態における、PSMPシーケンスを示す図である。図３では、PSMPシーケンス301は、例えば、PSMPフレーム302の伝送に続けて、１つ以上の受信器ノードへのスケジュールされたダウンリンクブロードキャストおよび／またはマルチキャストデータ伝送期間309と、１つ以上の受信器ノードへのスケジュールされたダウンリンクユニキャストデータ伝送期間311と、１つ以上の受信器ノードからのスケジュールされたアップリンクユニキャスト伝送期間315とを含むことが可能である。ある例示的な実施形態では、アップリンク伝送（315）を、ダウンリンク伝送（309および／または311）の後にスケジュールすることが可能である。移行317は、ダウンリンク伝送（DLT）（例、309、311）からアップリンク伝送（ULT）315までを示す。DLTからULTへの移行は、PSMPシーケンス301に対するダウンリンク伝送（例、309、311）が完了した後、かつシーケンス301に対するアップリンク伝送（315）が始まった直後のポイントとすることが可能である
【００３３】
PSMPフレーム302では、TSIDフィールド223は、例えば、受信器ノードが、スケジュールされたアップリンクユニキャストデータ伝送期間315中にフレームを伝送することが可能な、トラフィックストリームを示すことが可能である。STA IDフィールド225は、受信器ノードの（または受信器ノードを識別する）ためのAIDを含むことが可能である。DLTフィールド227および229を、識別された受信器ノードへのスケジュールされたダウンリンクユニキャストデータ伝送期間311に対する、開始時間および持続時間をそれぞれ示す値に設定することが可能である。同様に、PSMPフレーム302内のULTフィールド231および233を、（例えばSTA IDによって）識別された受信器ノードに提供されたスケジュールされたアップリンクユニキャストデータ伝送に対する、開始時間および持続時間をそれぞれ示す値に設定することが可能である。
【００３４】
APは、PSMPフレーム302を伝送した後に、DLTの一部として１つ以上のダウンリンクフレームを（例えば、介在フレーム無しで）直ちにまたは実質的に直ちに伝送することが可能である。例えば、APは、PSMPフレーム302の直後に、スケジュールされたダウンリンクブロードキャスト/マルチキャストデータ伝送期間309に対する、１つ以上のブロードキャストおよび／またはマルチキャストフレーム（304、306、...）を伝送することが可能である。したがって、ある例示的な実施形態においてはおいて、例えば、各受信器ノードは、この時点でブロードキャストおよび／またはマルチキャストデータ伝送を承知または予測することが可能であるように、デフォルトのスケジューリングとして、ダウンリンクブロードキャストおよび／またはマルチキャストデータフレームを、PSMPフレーム302の伝送の直後に伝送することが可能である。ある例示的な実施形態では、ブロードキャストデータフレームは、マルチキャストデータフレームの前にスケジュールすることが可能である。別の実施形態では、マルチキャストデータフレームは、ブロードキャストデータフレームの前にスケジュールすることが可能である。さらに別の実施形態では、ブロードキャストデータフレームおよびマルチキャストデータフレームのスケジューリングを、互いに散在させることが可能である。
【００３５】
マルチキャスト伝送の場合、専用のSTA Infoフィールド216を使用してマルチキャスト伝送を示すことができる。この場合、TSIDフィールド223を、スケジュールされたアップリンク伝送を有する受信器ノードがマルチキャスト伝送を返送することを示すように、1または他の特定の値に設定することが可能である。この状況では、STA IDフィールド225は、0に設定することが可能である。ある例示的な実施形態では、ブロードキャスト/マルチキャスト伝送のために、DLTフィールド227および229を使用して、ダウンリンクマルチキャスト伝送期間またはスケジュールを通信することが可能であり、ULTフィールド231および233を、0（または任意）に設定することが可能である。しかし、これらは単なる実施例であり、種々の実施形態はそれらに制限されるものではない。
【００３６】
ある例示的な実施形態では、例えば、このPSMPシーケンスに対して、APから伝送すべきいかなるダウンリンクブロードキャスト/マルチキャストフレームも無い場合は、PSMPフレームの後に、スケジュールされたダウンリンクユニキャストデータ伝送311を開始することが可能である。または、別の実施形態では、例えば、PSMPフレームの後にダウンリンクユニキャスト伝送（311）を開始することが可能であり、ブロードキャスト/マルチキャストダウンリンク伝送（309）を、ダウンリンクユニキャスト伝送（311）の後にすることが可能である。
【００３７】
次に、図３を参照する。１つ以上のユニキャストフレーム（例、フレーム308、310、312、314）を、スケジュールされたダウンリンクユニキャストデータ伝送期間311およびスケジュールされたアップリンクユニキャストデータ伝送期間315の一部として、１つ以上の受信器ノード（例、"ノード1"、"ノード2"、"ノード3"）に伝送、およびこれらから受信することが可能である。ユニキャストフレームを、PSMPが可能な局（例、本実施形態では、"ノード1"、"ノード2"、および"ノード3"）に伝送、および／またはこれらから受信する状況では、ユニキャストフレームのフレームの伝送は、PSMPシーケンス301の間に、PSMPケーブルが可能な局に対するオン／オフ移行の数を減じるように、および／またはノードのDLT期間とULT期間との間の遅延を増加させるように、PSMPフレーム内にスケジュールすることが可能である。このようにノードに対するDLTおよびULT期間をスケジュールすることによって、所与のPSMPシーケンス中に、PSMPが可能な局に対する"アウェイク時間"（例えば、全電力モードで動作する時間）を低減することが可能である。したがって、PSMPが可能な局に対する消費電力は、例えば、下述のスケジューリング手法を用いて低減することが可能である。一般的に、DLTは、局またはノードがAPまたは他の局からデータを受信することが可能な期間とすることが可能である。ULTは、局が、媒体を通じてデータをAPまたは他の局に送信することが可能な期間である。
【００３８】
オン／オフ動作の移行は、例えば、動作モード（例、全電力モード）から低電力モード（例、待機/スリープモード）への移行、およびこの逆とすることが可能である。説明のために、オン／オフ動作の移行は、（i）動作モードから待機モードへの移行、および（ii）待機モードから動作モードへの移行のことを、代替可能に指すことが可能である。本願明細書に記述された実施形態に従ってフレームの伝送をスケジュールすることによって、PSMP局に対するオン／オフ動作の移行の数を低減することが可能である。同様に、当該のPSMP局が低電力モード（例、待機モード）にある時間は、本願明細書に記述された実施形態に従ってユニキャストフレームの伝送をスケジュールすることによって増加させることが可能である。
【００３９】
図３に示される例示的な実施形態では、３つのPSMP局（ノード1、ノード2、およびノード3）が、PSMPシーケンス301中の伝送のためにスケジュールされたユニキャストフレームを有する。例えば、本実施例では、ノード1は、ダウンリンクユニキャストフレーム308のスケジュールされた伝送だけを有し、ノード3は、アップリンクユニキャストフレーム314だけのスケジュールされた伝送だけを有する。ノード2は、相対的に、ダウンリンクユニキャストフレーム310のスケジュールされた伝送と、スケジュールされたアップリンクユニキャストフレーム312とを有する。これは、単なる説明的または例示的な実施形態である。更なるノードまたはより少ないノードがデータ伝送のためにスケジュールされているか、または更なるフレームを伝送することが可能な、他の実施形態が存在する。さらに、所与のノードへの、および／またはこのノードからの伝送のためにスケジュールされたデータのタイプ、およびデータ伝送のためのスケジュールは、PSMPシーケンスによって様々であると理解されよう。
【００４０】
ある例示的な実施形態においては、PSMPシーケンス中に、スケジュールされたダウンリンク伝送だけを有する１つ以上のノードの場合、これらのノードは、ダウンリンク伝送311の開始時またはほぼ開始時にダウンリンク伝送を行うようにスケジュールすることが可能である。例えば、図３に示されるように、ノード1に対するダウンリンクユニキャストフレーム308の伝送は、ダウンリンクユニキャストデータ伝送期間311の始め、またはほぼ始めにスケジュールされている。必須ではないが、ダウンリンク伝送は、実質的に、PSMPフレーム302の直後に、またはブロードキャスト/マルチキャスト伝送309の後にスケジュールすることが可能である。この状況では、ノード1は、ユニキャストフレーム308を受信した後に、PSMPシーケンス301の残りを低電力状態にすることが可能である。ある例示的な実施形態では、ノード1を、ブロードキャスト/マルチキャストデータ伝送期間309中に全電力（アウェイク）モードで動作させて、ダウンリンク伝送（例、フレーム308）を受信し、次いで低電力モードにすることが可能である。
【００４１】
ダウンリンクユニキャスト伝送期間311の始め、またはほぼ始めにユニキャストフレーム308の伝送をスケジュールすることによって、オン／オフ動作の移行の数、およびノード1がアウェイクに費やす時間を低減することが可能である。例えば、DLT 311の中間または終わりまでノード1に対するフレーム308のダウンリンク伝送を遅延させることによって、一般的にノード1が全出力モードで動作する期間が増加するので、一般的にノード1に対する消費電力が増加する。別様には、ノード1は、更なるオン／オフ動作の移行を経て、例えば、ブロードキャスト/マルチキャストデータ伝送期間309の後に待機モードにさせて、ユニキャストフレーム308のスケジュールされたダウンリンクユニキャスト伝送時またはその直前に、アウェイク（全電力）モードに戻すことが可能である。しかし、当該の手法は、例えば、場合によっては、ダウンリンク伝送311の始めまたはほぼ始めに、ノード1のためのDLT（例、フレーム308）をスケジュールするよりも、場合によっては電力効率が劣る場合がある。
【００４２】
別の例示的な実施形態においては、PSMPシーケンス中に、スケジュールされたアップリンク伝送だけを有する１つ以上のノードのために、これらのノードを、アップリンク伝送315の終了時またはほぼ終了時にアップリンク伝送を行うようにスケジュールすることが可能である。例えば、ノード3は、アップリンクデータ伝送（例、フレーム314）に対してのみスケジュールされている。したがって、ノード3のためのアップリンクユニキャストフレーム314の伝送を、アップリンクユニキャストデータ伝送期間315の終了時またはほぼ終了時にスケジュールすることが可能である。この状況では、ノード3を、ブロードキャスト/マルチキャストデータ伝送期間309の後に低電力状態にし、ユニキャストフレーム314のスケジュールされたアップリンクユニキャスト伝送時または直前に全電力モードに戻るまで、ユニキャストデータ伝送期間311中に低電力状態のままにすることが可能である。ノード3は、次いで、例えば、フレーム314を伝送してから、次のPSMPフレームを受信する時間まで、低電力状態に戻しておくことが可能である。別の例示的な実施形態では、ノード3は、PSMPシーケンス301のブロードキャスト/マルチキャストデータ伝送期間309中に、ノード3に伝送すべきスケジュールされたデータが無い場合、または伝送すべきブロードキャストまたはマルチキャストフレームが無い場合、PSMPフレーム302を受信した後に、低電力モードにすることが可能である。
【００４３】
アップリンクユニキャスト伝送期間315の終了時またはほぼ終了時に、ユニキャストフレーム314（ノード3は、アップリンク伝送に対してのみスケジュールされている）の伝送をスケジュールすることによって、少なくとも場合によっては、オン／オフ動作の移行の数、およびノード3がアウェイク（または全電力モード）に費やす時間を低減することが可能である。例えば、ノード3がアップリンク伝送315の始めにアップリンク伝送を行うようにスケジュールされた場合、このことによって、ノード3が低電力状態に費やす時間を低減することが可能である。また、オン／オフ動作移行の時間が、ノードを待機（または低電力）状態よりも低電力STAへ移行させ、（ノードをアウェイクにすることが必要になる前に）作動状態へ戻すのに十分である場合、ノードはより低電力または深いスリープ状態へ移行し、さらなる節電が可能である。
【００４４】
ある例示的な実施形態では、ノード3は、複数の更なるオン／オフ動作の移行を経て、例えば、ブロードキャスト/マルチキャストデータ伝送期間309の後に待機モードにさせて、ユニキャストフレーム314のスケジュールされたアップリンクユニキャスト伝送時またはその直前に、アウェイク（全電力）モードに戻し、次いで、ユニキャストフレーム314を送信した後に低電力モードに戻すことが可能である。ノード3は、次いで、次のPSMPフレーム321の伝送時またはその直前に、別のオン／オフ動作の移行を経ることになる。図３に示される手法を使用すると、ノード3が、アップリンク伝送期間315の終了時またはほぼ終了時に、ユニキャストパケット314を伝送するので、次のPSMPフレーム321を受信するためにアウェイクのままにすることが可能となり、したがって、オン／オフ動作の移行の数が低減される。これは、別の例示的な実施形態である。
【００４５】
さらに別の例示的な実施形態では、PSMPシーケンス中に、（例、ユニキャスト）ダウンリンク伝送およびアップリンク伝送の両方のためにスケジュールされたノードに対して、これらのノードは、ダウンリンク伝送からアップリンク伝送へのほぼまたは移行317前後に、伝送を行うようにスケジュールすることが可能である。例えば、図３に示されるように、ノード2は、PSMPシーケンス301中に、ユニキャストダウンリンク伝送およびアップリンク伝送の両方のためにスケジュールされている。したがって、ノード2に対するダウンリンクユニキャストフレーム310の伝送およびアップリンクユニキャストフレーム312の伝送は、ダウンリンクユニキャストデータ伝送期間311と、アップリンクユニキャストデータ伝送期間315との間の移行時または移行の際（あるいは移行前後）にスケジュールすることが可能である。この状況では、ノード2は、例えば、ブロードキャスト/マルチキャストデータ伝送期間309の後（または、ブロードキャストまたはマルチキャストデータ伝送がスケジュールされない場合は、PSMPフレーム302を受信した後）に、低電力状態に入り、ダウンリンクユニキャスト伝送期間311の終了時またはほぼ終了時に、ユニキャストフレーム310のスケジュールされたダウンリンクユニキャスト伝送時または直前に、アウェイク（全電力）モードに戻るまで、ユニキャストダウンリンクデータ伝送期間311中のほとんどを、低電力状態のままとすることが可能である。ノード2は、次いで、アウェイクのままで、アップリンクユニキャストデータ伝送期間315の始めまたはほぼ始めに、アップリンクユニキャストフレーム312を伝送することが可能である。
【００４６】
ダウンリンクユニキャスト伝送期間311の終了時またはほぼ終了時に、ダウンリンクユニキャストフレーム310の伝送をスケジュールし、アップリンクユニキャスト伝送期間315の始めまたはほぼ始めに、アップリンクユニキャストフレーム312の伝送をスケジュールすることによって、少なくとも場合によっては、オン／オフ動作の移行の数、およびノード2がアウェイクに費やす時間を低減することが可能である。例えば、ダウンリンクユニキャストデータ伝送期間311の中間またはほぼ始めにスケジュールされたダウンリンクユニキャストパケット310の伝送、およびアップリンクユニキャストデータ伝送の中間またはほぼ終了時にスケジュールされたアップリンクユニキャストパケット312の伝送の場合、ノード2は、その一部をアイドル状態（例えば、データを伝送も受信もしない）とすることが可能な間、より長い時間（例えば、スケジュールされた伝送の前および／または後）保持することが可能である。
【００４７】
別様には、上述の状況では、ノード2は、複数の更なるオン／オフ動作の移行を経て、例えば、ブロードキャスト/マルチキャストデータ伝送期間309の後（または、PSMPフレーム302を受信した後）に待機モードにして、ユニキャストフレーム310のスケジュールされたダウンリンクユニキャスト伝送時またはその直前に、アウェイク（全電力）モードに戻すことが可能である。ノード2は、次いで、ユニキャストフレーム310を受信した後に低電力モードに戻し、ユニキャストフレーム312のスケジュールされたアップリンクユニキャスト伝送時またはその直前に、アウェイク（全電力）モードに戻すことが可能である。さらに、ノード2は、ユニキャストをフレーム314を伝送した後に低電力モードに戻すことが可能である。この状況では、ノード2は、次のPSMPフレーム321の伝送時またはその直前に、さらに別のオン／オフ動作の移行を経ることが可能である。図３に示される手法を使用すると、ノード3が、ダウンリンク伝送期間311とアップリンク伝送期間315との間の移行時または移行の前後に、ユニキャストパケット310を受信し、ユニキャストパケット312を伝送するので、ノード2は、単に、ユニキャストパケット310を受信した後にユニキャストパケット312を伝送するようにアウェイクのままにすることが可能となり、したがって、オン／オフ動作の移行の数が低減される。
【００４８】
図４は、ダウンリンク伝送期間（DLT）のためのデータ伝送スケジュール、および例示的なPSMPシーケンスのためのアップリンク伝送期間（ULT）のある例示的な実施形態を示すタイミング図である。図４に示されるデータ伝送スケジュールは、PSMPフレーム402のようなフレーム（例、管理フレーム）内に含めることが可能である。図４の移行ポイント408は、例示的なデータ伝送スケジュールのためのDLT 404とULT 406との間の移行を示す。図４に示されるスケジュールでは、ブロードキャストおよび／またはマルチキャストデータのスケジューリングは示されていない。しかし、当該のスケジュールは、図３を参照して説明したものと同様に、ブロードキャストおよび／またはマルチキャストのスケジューリングを含むことが可能であると理解されよう。
【００４９】
図４に示されるデータ伝送スケジュールは、図３に示されるPSMPシーケンス301に類似する。相対的に、図４のデータ伝送スケジュールは、データ伝送期間（ダウンリンクおよびアップリンク）が、図３のノード2の場合と同じように、DLT404およびULT404の両方の間にスケジュールされている更なるノードを含む。したがって、図４のデータ伝送スケジュールは、PSMPが可能な４つの局、PSTA 1、PSTA 2、PSTA 3、およびPSTA 4のデータ伝送スケジュールを示す。上述のように、当該のデータ伝送スケジュールは、非PSMP局のためのデータ伝送のスケジューリングも含むことが可能である。なお、明確にするために、非PSMP局のためのデータ伝送のスケジューリングは示されていない。
【００５０】
図４のPSMPシーケンスの場合、PSTA 1は、DLT 404中にスケジュールされたダウンリンクユニキャストデータ伝送だけを有し、PSTA 2はULT 406中にスケジュールされたアップリンクユニキャストデータ伝送だけを有し、PSTA 3および4は（DLT 404中、およびULT 406中に）スケジュールされたダウンリンクおよびアップリンクユニキャストデータ伝送の両方を有する。図４に示されるように、PSTA 1乃至4は、PSMPフレーム402が通信している期間中に、すべてアウェイクとすることが可能である。PSMPフレーム402を受信した後に、PSTA 1乃至4は、次いで、図４に示されるデータ伝送スケジュールに従って動作させることが可能であり、PSMPフレーム402内に含めることが可能である。各PSTAに対するデータ伝送スケジュールを以下に順に説明する。
【００５１】
上述のように、PSTA 1は、図４に示されるPSMPシーケンス中にスケジュールされたダウンリンクユニキャストデータ伝送だけを有する。PSTA 1に対するダウンリンクユニキャストデータ伝送は、DLT 404の始め、またはほぼ始めにスケジュールされる。したがって、PSTA 1は、PSMPフレーム402を受信した後に、スケジュールされたダウンリンク伝送を受信するように、期間410中はアウェイクのままである。期間410の終わりに、PSTA 1に対するダウンリンク伝送が完了すると、PSTA 1は、期間412中に、待機（スリープ）モードにすることが可能であり、示されたPSMPシーケンスの残りに含めることが可能である。上述のように、当該の手法は、PSTA 1に対するオン／オフ動作の移行の数を低減し、またPSTA 1が待機に費やす時間を増加させることも可能である。これによって、PSTAは、待機（例、深いスリープ）よりも消費電力の少ない状態に移行し、ノードをアウェイクにすることが必要になる前に作動状態に移行することができる。これは、PSTAに更なる節電をもたらす。
【００５２】
図４では、上述のように、PSTA 2は、図４に示されるPSMPシーケンス中にスケジュールされたアップリンクユニキャストデータ伝送だけを有する。PSTA 1のためのアップリンクユニキャストデータ伝送は、ULT 406の終了時またはほぼ終了時にスケジュールされる。したがって、PSTA 2は、PSTA 2がPSMPフレーム402を受信する期間414の後に、待機モードとなり、スケジュールされたアップリンクユニキャストデータ伝送の直前まで待機モードのままとなる。例えば、期間418中に、PSTA 2がウェイクアップ（例えば、待機から全電力モードへ移行）する。PSTA 2は、次いで、期間420中に、スケジュールされたアップリンクユニキャストデータ伝送を完了する。PSTA 2に対するアップリンク伝送が期間420の終了時に完了すると、PSTA 2は、次のPSMPフレームを受信するようにアウェイクのままとすることが可能である。別様には、PSTA 2は、更なるPSMPシーケンスが生じない場合に、待機（スリープ）モードにすることが可能である。上述のように、当該の手法は、PSTA 2に対するオン／オフ動作の移行の数を低減し、またPSTA 2が待機に費やす時間を増加させることも可能である。
【００５３】
さらに、図４では、上述のように、PSTA 3および4は、DLT 404およびULT 406中にスケジュールされた、ダウンリンクユニキャストデータ伝送期間およびアップリンクユニキャストデータ伝送期間を有する。図４に示されるように、PSTA 3および4に対しては、ダウンリンクユニキャストデータ伝送は、DLT 404の終了時またはほぼ終了時（例、移行ポイント408の直前）にスケジュールすることが可能であり、アップリンクユニキャストデータ伝送は、ULT 406の始め、またはほぼ始め（例、移行ポイント408の直後）にスケジュールすることが可能である。
【００５４】
図４のPSTA 3は、PSTA 3がPSMPフレーム402を受信する期間422の後に、待機モードとなり、スケジュールされたアップリンクユニキャストデータ伝送の直前まで、期間424中に、待機モードのままとすることが可能である。例えば、期間426中に、PSTA 3がウェイクアップ（例えば、待機から全電力モードへ移行）する。PSTA 3は、次いで、期間428中に、スケジュールされたダウンリンクユニキャストデータ伝送を完了する。PSTA 3に対するアップリンク伝送期間を以下に説明する。
【００５５】
PSTA 3と同様に、図４のPSTA 4 は、期間434中にPSMPフレーム402を受信する。PSTA 4がPSMPフレーム402を受信すると、スケジュールされたダウンリンクユニキャストデータ伝送の直前まで、期間436中に、待機モードのままとすることが可能である。例えば、期間438中に、PSTA 4がウェイクアップ（例えば、待機から全電力モードへ移行）する。PSTA 4は、次いで、期間440中に、スケジュールされたダウンリンクユニキャストデータ伝送を完了する。
【００５６】
図４に示されるように、移行408は、期間440中に生じる。したがって、PSTA 4は、スケジュールされたダウンリンクユニキャスト伝送を完了した後にアウェイクのままとし、また、期間440中に、スケジュールされたアップリンク伝送も完了することが可能である。期間440の終了時にPSTA 4のためのアップリンク伝送が完了すると、PSTA 4は、期間437中に、待機（スリープ）モードにすることが可能であり、示されたPSMPシーケンスの残りを含むことが可能である。
【００５７】
図４に示された実施形態の場合、PSTA 3は、期間432中に、アップリンク伝送を完了する。期間432は、期間440の実質的に直後に生じ、その間に、PSTA 4は、アップリンクおよびダウンリンクユニキャスト伝送を完了することが可能である。当該の機構によって、PSTAのためのデータ伝送のスケジューリングは、所与のPSMPシーケンス中に、スケジュールされたダウンリンクおよびアップリンクユニキャストデータ伝送の両方を有することができる。PSTA 3は、期間430中に（スケジュールされたダウンリンク伝送期間428とスケジュールされたアップリンクデータ伝送期間432のとの間）、作動させたままとすることが可能である。別様には、PSTA 3は、期間430中に、待機（スリープ）にすることが可能である。期間432の終了時にPSTA 3のためのアップリンク伝送が完了すると、PSTA 3は、期間425中に、待機（スリープ）モードにすることが可能であり、示されたPSMPシーケンスの残りを含むことが可能である。図４に示される手法を使用する（例えば、期間が移行ポイント408をブリッジするように、所与のPSMPシーケンス内にダウンリンクおよびアップリンクユニキャストデータ転送の両方を有するPSTAに対して、ダウンリンクおよびアップリンクユニキャストデータ伝送期間をスケジュールする）と、当該のPSTAに対するオン／オフ動作の移行の数が低減され、また当該のPSTAが待機（スリープ）モードに費やす時間を増加させることが可能である。
【００５８】
図５は、所与のPSMPシーケンス内にダウンリンクおよびアップリンクユニキャストデータ転送の両方を有するPSTAに対して、ダウンリンクおよびアップリンクユニキャストデータ伝送期間をスケジュールするための、データ伝送スケジュールの別の例示的な実施形態を示すタイミング図である。図４のデータ伝送スケジュールと同様に、図５のスケジュールは、例示的なPSMPシーケンスのための、ダウンリンク伝送期間（DLT）504と、アップリンク伝送期間（ULT）506とを含む。図５のスケジュールは、PSMPフレーム502のようなフレーム（例、管理フレーム）内に含めることが可能である。図４と同様に、図５の移行ポイント508は、例示的なデータ伝送スケジュールのためのDLT 504とULT 506との間の移行を示す。また、図５に示されるスケジュールでは、ブロードキャストおよび／またはマルチキャストデータのスケジューリングは示されていない。しかし、これらのスケジュールは、図３を参照して説明したものと同様に、ブロードキャストおよび／またはマルチキャストのスケジューリングを含むことが可能であると理解されよう。
【００５９】
図５は、２つのPSMPが可能な局、PSTA 1およびPSTA 2のためのデータ伝送スケジュールを示し、上述のように、いずれも示された特定のPSMPシーケンスのための、スケジュールされたダウンリンクおよびアップリンクユニキャストデータ伝送期間を有する。次に、図５内の各PSTAを説明する。図５の例示的な実施形態では、ダウンリンクおよびアップリンク伝送の両方を行うようにスケジュールすることが可能なノードまたは局は、ダウンリンク伝送（DLT）期間504の始まり、またはほぼ始まりにダウンリンク伝送を行うようにスケジュールすることが可能であり、アップリンク伝送（ULT）期間506の終了時またはほぼ終了時にアップリンク伝送を行うようにスケジュールすることが可能である。このように、オン／オフ動作の移行の数を低減し、局またはノードが全電力モードで作動する期間を低減することが可能である。
【００６０】
図５のPSTA 1は、期間510中に、アウェイク（全電力モードで作動）する。期間510中に、PSTA 1は、PSMPヘッダー502を受信することが可能である。また、期間510中（例、実質的にPSMPヘッダー502の受信直後）に、PSTA 1は、スケジュールされたダウンリンクユニキャストデータ伝送を受信させる。スケジュールされたダウンリンクユニキャストデータ伝送を完了した後に、PSTA 1は、スケジュールされたアップリンクユニキャストデータ伝送期間516の直前まで、待機モードにすることが可能である。例えば、期間514中に、PSTA 1がウェイクアップ（例えば、待機から全電力モードへ移行）する。PSTA 1は、次いで、期間516中に、スケジュールされたアップリンクユニキャストデータ伝送を完了する。PSTA 1に対するアップリンクユニキャスト伝送が期間516の終了時に完了すると、PSTA 1は、次のPSMPフレームを受信するようにアウェイクのままとすることが可能である。別様には、PSTA 1は、更なるPSMPシーケンスが生じない場合に、待機（スリープ）モードにすることが可能である。
【００６１】
PSTA 1と同様に、図５のPSTA 2は、期間518中に、アウェイク（全電力モードで動作）することが可能である。期間518中に、PSTA 2は、PSMPヘッダー502を受信することが可能である。PSTA 2は、次いで、図５のPSTA 1がスケジュールされたユニキャストデータ伝送を完了している間に、期間520中（期間510の残りに対応させることが可能である）に、スタンバイモードにすることが可能である。別様には、図５のPSTA 2は、期間520中にアウェイクのままとし、スケジュールされたダウンリンクユニキャストデータ伝送期間522の直前にウェイクすることが可能である。スケジュールされたダウンリンクユニキャストデータ伝送を完了した後に、PSTA 2は、スケジュールされたアップリンクユニキャストデータ伝送期間528の直前まで、待機モードにすることが可能である。例えば、期間526中に、PSTA 2がウェイクアップ（例えば、待機から全電力モードへ移行）する。PSTA 2は、次いで、期間528中に、スケジュールされたアップリンクユニキャストデータ伝送を完了する。PSTA 2に対するアップリンク伝送が期間528の終了時に完了すると、PSTA 2は、次のPSMPフレームを受信するようにアウェイクのままとすることが可能である（図５には示さず）。別様には、PSTA 2は、図５に示されたPSMPシーケンスの終了まで、待機（スリープ）モードにすることが可能である。
【００６２】
図６は、ある例示的な実施形態における、無線ノードの動作を示すフローチャートである。610で、基地局またはAP（実施例）のようなノードは、フレームシーケンス中における、無線ネットワークの１つ以上のノードのための複数のアップリンクおよび／またはダウンリンク伝送期間を特定するフレームを伝送することが可能である。フレームシーケンス内において、アップリンク伝送は、ダウンリンク伝送の後にスケジュールすることが可能である。図６のフローチャートは、１つの更なる動作620、630および／または640を含むことが可能である。
【００６３】
620で、フレームシーケンス中にスケジュールされたダウンリンク伝送だけを有する１つ以上のノードを、ダウンリンク伝送の開始時またはほぼ開始時にダウンリンク伝送を行うようにスケジュールすることが可能である。630で、フレームシーケンス中にスケジュールされたアップリンク伝送だけを有する１つ以上のノードを、アップリンク伝送の開始時またはほぼ開始時にアップリンク伝送を行うようにスケジュールすることが可能である。640で、フレームシーケンス中にスケジュールされたダウンリンクおよびアップリンク伝送の両方を有する１つ以上のノードを、ダウンリンクからアップリンクへの移行の際に伝送を行うようにスケジュールすることが可能である。データフレームは、次いで、PSMPフレーム内に含まれたデータ伝送スケジュールに従って伝送する（例えば、スケジュールに従ってダウンリンク伝送し、その後にアップリンク伝送する）ことが可能である。
【００６４】
図７は、無線通信（例えば、ある例示的な実施形態における無線ノード）に提供することが可能な装置700を示すブロック図である。無線ノード（例、局またはAP）は、例えば、信号を送受信するための無線トランシーバ702と、局の動作を制御し、命令またはソフトウェアを実行するためのコントローラ704と、データおよび／または命令を格納するためのメモリ706とを含むことが可能である。
【００６５】
無線ノードは、例えば図２に示されるPSMPフレームのような、管理フレームを受信すると、ノードは、PSMPフレーム200によって特定されたスケジュールに基づいて、ユニキャストトラフィック、マルチキャストおよび／またはブロードキャストトラフィックを受信するかどうかを決定することが可能である。当該のスケジュールは、例えば、上述の実施形態に従って実装することが可能である。無線局と送受信すべきトラフィックが無いことが特定された場合、無線局は、例えば当該のPSMPヘッダーを受信した後に、現在のフレームシーケンスに対して、電力を節約して低電力状態にすることができる。
【００６６】
コントローラ704は、プログラム可能であり、メモリまたは他のコンピュータ媒体に格納されるソフトウェアまたは他の命令を実行して、上述の様々なタスクおよび機能を実行することができる。例えば、コントローラ704は、PSMPフレームのような管理フレームを送信して、無線ネットワーク内の１つ以上の受信器ノードのそれぞれに対するスケジュールされたデータ伝送時間および命令を識別するようにプログラムすることが可能である。
【００６７】
ある例示的な実施形態では、コントローラ704または装置700は、フレームシーケンス中における、無線ネットワークの１つ以上のノードのための複数のアップリンクおよび／またはダウンリンク伝送期間を特定するフレームを送信することが可能である。アップリンク伝送は、ダウンリンク伝送の後に、前記フレームシーケンス内にスケジュールすることが可能である。ある実施形態では、フレームシーケンス中にスケジュールされたダウンリンク伝送だけを有する１つ以上のノードを、ダウンリンク伝送の開始時またはほぼ開始時にダウンリンク伝送を行うようにスケジュールすることが可能である。別の実施形態では、フレームシーケンス中にスケジュールされたアップリンク伝送だけを有する１つ以上のノードを、アップリンク伝送の終了時またはほぼ終了時にアップリンク伝送を行うようにスケジュールすることが可能である。さらに別の実施形態では、フレームシーケンス中にスケジュールされたダウンリンクおよびアップリンク伝送の両方を有する１つ以上のノードを、ダウンリンクからアップリンクへの移行の際に伝送を行うようにスケジュールすることが可能である。
【００６８】
加えて、命令を格納した記憶媒体を備えることが可能であり、コントローラまたはプロセッサによって実行されたときに、コントローラ704、他のコントローラ、またはプロセッサは、上述の１つ以上の機能またはタスクを実行することが可能である。
【００６９】
本願明細書に記述された種々の手法の実装形態は、デジタル電子回路に、またはコンピュータハードウェア、ファームウェア、ソフトウェアに、またはそれらを組み合わせたものに実装することが可能である。これらの実装形態は、データ処理装置、例えばプログラム可能なプロセッサ、単一のコンピュータ、または複数のコンピュータによって実行するための、またはその動作を制御するためのコンピュータプログラムとして、すなわち情報キャリア内に、例えば機械可読の記憶デバイスまたは伝播信号内に明白に組み込まれたコンピュータプログラムとして実装することが可能である。上述のコンピュータプログラムのようなコンピュータプログラムは、コンパイラまたはインタプリタ言語を含むあらゆる形態のプログラミング言語で作成することができ、また、スタンドアロンプログラムとして、またはモジュール、コンポーネント、サブルーチンとして、またはコンピューティング環境での使用に好適な他のユニットとしての形態を含む、あらゆる形態で導入することができる。コンピュータプログラムは、１つのサイトにおいて１つのコンピュータまたは複数のコンピュータ上で実行するか、または複数のサイトを通じて配信して、通信ネットワークによって相互接続するように導入することができる。
【００７０】
方法ステップは、コンピュータプログラムを実行して、入力データで動作して結果を生成することによって機能を実行する、１つ以上のプログラム可能なプログラマブルプロセッサによって実行することが可能である。方法ステップはまた、専用ロジック回路、例えば、FPGA（field programmable gate array: フィールドプログラマブルゲートアレイ）、またはASIC（application-specific integrated circuit: 特定用途向け集積回路）によって実行すること、および前記回路として実装することが可能な装置によって実行することも可能である。
【００７１】
本願明細書に開示したように、記載した実施形態の特定の機能を例示したが、当業者は、多数の改良、置換、変更、および同等物を想起しうるであろう。したがって、添付の特許請求の範囲は、当該のすべての修正と変更を、種々の実施形態の真の精神の範囲内としてカバーすることを意図するものであると理解されたい。
【図１】
2008544617.tif 000003
【図２】
2008544617.tif 000004
【図３】
2008544617.tif 000005
【図４】
2008544617.tif 000006
【図５】
2008544617.tif 000007
【図６】
2008544617.tif 000008
【図７】
2008544617.tif 000009
【国際調査報告】
2008544617.tif 000010
2008544617.tif 000011
2008544617.tif 000012